(57)【要約】本発明は人体に有害な物質は遮断し、有益な物質は人体に提供して人体の機能を改善させる有害波遮断機構に関するもので、２〜３０枚からなる板材と、前記板材の一面に溝を形成して配列される陰刻と、前記陰刻が形成された板材の一面に塗布されて陰刻を埋める作用をし、板材に接着されて堅く硬化される層を形成する接着剤層とで構成され、前記板材は、傾斜角がないように９０°の垂直角で陰刻を形成する基本板材と、基本板材の一側に積層されて互いに接着され、陰刻によって傾斜角を形成する接合板材とで構成され、前記接合板材に形成された陰刻の溝はさらに積層される接合板材の順によってそれぞれ垂直角に対して１°〜１０°の傾斜角を有するように形成されることで陰刻によって板材に形成された溝が水平面に対して１°〜９０°の傾斜角を有するように形成されることを特徴とする。【選択図】図３
2014532449.tif 000002
【特許請求の範囲】
【請求項１】
２〜３０枚からなる板材（１０）と、
前記板材（１０）の一面に溝を形成して配列される陰刻（２０）と、
前記陰刻（２０）が形成された板材（１０）の一面に塗布されて陰刻（２０）を埋める作用をし、板材（１０）に接着されて堅く硬化される層を形成する接着剤層（３０）とで構成され、
前記板材（１０）は、傾斜角がないように９０°の垂直角に陰刻（２０）を形成する基本板材（１０ａ）と、基本板材（１０ａ）の一側に積層されて互いに接着され、陰刻（２０）によって傾斜角を形成する接合板材（１０ｂ）とで構成され、
前記接合板材（１０ｂ）に形成された陰刻（２０）の溝はさらに積層される接合板材（１０ｂ）の順によってそれぞれ垂直角に対して１°〜１０°の傾斜角を有するように形成されることによって、陰刻（２０）によって板材（１０）に形成された溝が水平面に対して１°〜９０°の傾斜角（α）を有するように形成されることを特徴とする有害波遮断機構。
【請求項２】
前記板材（１０）は金属材、非金属材、木材、合成樹脂材の中の何れか一つの材質で形成されることを特徴とする請求項１に記載の有害波遮断機構。
【請求項３】
前記板材（１０）の厚さは０．１ｔ〜３ｔに製作されることを特徴とする請求項１に記載の有害波遮断機構。
【請求項４】
前記陰刻（２０）は板材（１０）に０．０１ｍｍ〜１０ｍｍの深さで溝を形成することを特徴とする請求項１に記載の有害波遮断機構。
【請求項５】
前記陰刻（２０）を形成する溝はそれぞれ異なる深さに形成されて、前記陰刻（２０）の中に陽刻（２１）がさらに含まれて構成されることを特徴とする請求項１に記載の有害波遮断機構。
【請求項６】
前記陰刻（２０）は文字、符号、標識を含む記号の形態に形成され、パターンを形成することを特徴とする請求項１に記載の有害波遮断機構。
【請求項７】
前記陰刻（２０）は板材（１０）の中心点の付近に形成される第１陰刻（２０ａ）と前記第１陰刻（２０ａ）を基準に放射状に広がって形成される第２陰刻（２０ｂ）とで形成されることを特徴とする請求項６に記載の有害波遮断機構。
【請求項８】
前記第２陰刻（２０ｂ）は螺旋状のパターンまたは斜線状のパターンで角度を形成することを特徴とする請求項７に記載の有害波遮断機構。
【請求項９】
前記第２陰刻（２０ｂ）で形成された螺旋状のパターンと斜線状のパターンは右回転方向に角度パターンを形成する右回転陰刻（２０ｂａ）と、左回転方向に角度パターンを形成する左回転陰刻（２０ｂｂ）とで構成されることを特徴とする請求項８に記載の有害波遮断機構。
【請求項１０】
前記右回転陰刻（２０ｂａ）と左回転陰刻（２０ｂｂ）は同心円状に離隔されて複数に形成されることを特徴とする請求項９に記載の有害波遮断機構。
【請求項１１】
前記板材（１０）に構成された陰刻（２０）は板材（１０）の外側に突出して形成されるように響板（２０’）を接着剤層（３０）で接着させて構成することによって陽刻に形成することを特徴とする請求項１に記載の有害波遮断機構。
【請求項１２】
前記板材（１０）には内部が空いている空間部（１３）が形成されることを特徴とする請求項１に記載の有害波遮断機構。
【請求項１３】
前記接着剤層（３０）には鉱物質（３１）が粉末形態で含有されることを特徴とする請求項１に記載の有害波遮断機構。
【発明の詳細な説明】
【技術分野】
【０００１】    本発明は有害波遮断機構に関するもので、より詳しくは、板材の表面に陰刻及び陽刻を形成し、接着剤を利用して陰刻及び陽刻が埋められるように接着剤層を形成するとともに、板材を互いに接合して用いることによって、人体によい遠赤外線を大量に生産し、且つ、人体に有害な各種波長を瓦解及び破壊させることができて、人体の機能を改善することができ、共音の増幅によって広範囲に広がっている各種有害波長を遮断することができ、低周波や微細波から超短波や高周波及び回転電磁波、水脈波に至るまで全て遮断することができる有害波遮断機構に関するものである。
【背景技術】
【０００２】    地下に水脈が流れると、水が流れながら放出する強力な振動波、即ち水脈波によって干渉されて、地表面の周波数が人体に有益な７．８３Ｈｚにならないで、上下に複雑に振動し、それによって、人の脳波も共鳴して複雑に振動することで人体の機能が低下されて、疲労感、集中力の低下、睡眠妨害などの現象が現われて長期的に健康をこわしてしまう。従って、体の健康のためにはこのような水脈波を遮断して人体に干渉のない地表面の波長である７．８３Ｈｚを保持しなければならない。【０００３】    電磁波とは、電気の発電、送電、またこれを利用する際に発生するもので、ＴＶ、電子レンジなど家電製品からコンピューター、通信機器、レーダー、ロボットなどの産業用装備に至るまで各種電子、電気製品から出る不必要な電波を通称する。このような電磁波は、簡単に遮断しにくく、肌を通じて、体内に電流が形成されてホルモン分泌体系や兔疫細胞に影響を及ぼす。そのために、電磁波に長期間露出されると、体温変化や体のリズムが割れて頭痛、睡眠障害、記憶力の喪失などの副作用が発生すると報告され、また白血病、脳腫瘍、乳房癌、痴呆、男性不妊などの原因になるという研究論文もある。【０００４】    地電流とは、地下及び海水中に流れる自然発生電流を言い、磁気嵐、地磁気の変化など磁場の変化が電子誘導によって地下に誘導されることで、ドイツ人のグスタフは１９３２年「地電流」という本を通じて、癌で死亡した人が住んでいた家の地電流が特に強いことを確認したと主張した。このような地電流は電磁波の一種で、睡眠中に人の細胞活動能力を低下させるだけでなく、奇形児を誘発する原因になることもできる。暦術師もこのような地電流がよくないと言い、このように地電流が強く流れる所で長く暮らすと様々な疾病に苦しんで長生きすることができなくなり、磁気と建物との不調和は水脈波、地電流など良くない機運を発生するとしている。【０００５】    これのために、水脈波、電磁波、地電流などの各種有害波を遮断するように、電気が流れる導体でありながら磁力にはひかれない金、白金、銀、銅、ニッケルのような金属を底に敷いたり寝具類の中に入れて使う有害波遮断方法が利用されているが、各種問題があった。即ち、金属板体を底に敷いて水脈波を遮断する方法は、現実的に施工や使用が難しく、費用も高い。また、寝具類の中に入れて使う方法も非現実的で、無理して入れて使うとしても重くて寝具類の使用に不便をもたらす問題点があった。そして、有害波長の発生範囲が大きい場合全ての領域を一対一にカバーすることが不可能であるという問題点を抱いている。【０００６】    一方、遠赤外線とは５〜２０ｕｍの波長帯に存在する赤外線で、生体に吸収されやすい電磁波を言う。動植物がこれを吸収する場合、生育が促進されたり、新鮮度が向上されるという效果があることが明らかになった。即ち、上記遠赤外線は太陽光線の中で最も純粋で強い熱作用を有する熱線で、無色で、目に見えない電磁波であり、輻射によって熱を人体の深部に直接伝達して皮下深層の温度の上昇、微小血管の拡張、血液循環の促進、体内の老廃物の排出及び新陳代謝の促進など様々な医療效果を発揮する体に有益な自然の生育光線である。学界の研究結果によれ���、全ての動植物と土などの鉱物質では常に遠赤外線を吸収または放射するとされ、それによる特性は次の通りである。【０００７】    遠赤外線は中間媒体が必要なく、直接光の速度で伝達され、直進して反射板を用いて方向を転換させることができ、特定物質では屈折する特定を有する輻射（放射）熱を有する。また、遠赤外線は肌の約４〜５ｃｍに深く浸透する特徴があり、このような性質は主に塗装、乾燥、疾病治療及び健康増進に利用される浸透力を有する。
また、遠赤外線は１分間に約２０００回振動し、私たちの体の中のイオン電流と混合され、吸収した一部エネルギーは熱エネルギー化されて磁化発熱現象が発生し、一部は分子運動を活性化させるエネルギーとして作用する共鳴（共振）吸収現象がある。この共鳴、共振現象が遠赤外線の生体に対する效果の基となる。【０００８】    このような遠赤外線は血液の流れを促進させ、発汗作用を促進し、生体に積もっている老廃物を分解、排泄して自浄する能力（皮膚の美容）、人体細胞を活性化させ（老化防止）、乳酸と老廃物を除去して、寝ている間に疲れを取ってくれる疲労回復效果を促進する。また、遠赤外線は温熱作用によって毛細管が拡充し、汗で不必要な脂肪を排泄させるので、血液循環を促進し、人体の自律神経に影響を与えて楽に寝ることができるように促進する。【０００９】    最近、上記遠赤外線を各種製品に適用して健康を増進するために多様な技術と製品が開発されている。一例として、従来には生地や布にポリエチレンとポリウレタンを適用させてバインダーを製作し、上記バインダーに遠赤外線を放射することができるバイオセラミックスパウダーを混合してコーティングまたは沈澱させ、これによってバイオセラミックスパウダーが付着された技術と製品が発売されている。ここで、上記バインダーは人の体に用いられる各種バンド類であってもよく、また、下着などに製作されることで人の体の中に遠赤外線を供給することができる。【００１０】    しかし、上記の製造工程によって製品を生産する場合、その製品で遠赤外線をたくさん発生させるために、バイオセラミックスパウダーの量を増加させることが製造工程上の問題から難しいという問題があり、また上記バイオセラミックスパウダーを製品にコーティングして付着させるため、製品を着用する際に異物感が感じられ、上記製品で放射される遠赤外線の放射率と放射エネルギーが弱いなど諸問題点があった。【００１１】    一方、波動とは、空間に伝播されて広がる振動を言う。縦波と横波に分けられ、音波、電磁波などがある。即ち、一部分で発生した振動が物質や空間に順次に伝播されるは現象である。【００１２】    人体で発生する極めて微弱なエネルギー波動には体の状態を知らせてくれる情報があり、波動医学はそれを捕捉して病気を診断する一方、治療情報を有するエネルギー波動を人体に伝達して病気を治療する療法を波動治療と言う。全ての疾病の発生原因は人体の臓器ごと固有の波動に異常があって発生し、これを直せば本来の健康を取り戻すことができる。【００１３】    上記遠赤外線は人体に最適な状態の超量子エネルギー波動と言えるが、このような遠赤外線が人体に吸収されると、血液循環及び新陳代謝が円滑に行われて美容などに效果が大きく、イオン作用で臭いの根源である汗、タンパク質、脂肪質などの分子などが解体されて悪臭を取り除き、細胞の分子と原子を振動させて体内の有害物質を除去するだけでなく、頭を爽やかにして集中力の向上に役に立つ。また、人体に適当な水分を保持して健康を増進させ、人体の均衡を取って成長を促進させ、生体機能を向上させ、酸性酸素の欠乏現象を解決するだけでなく、エンドルフィンを生成して疲労回復に良く、二日酔いの解消及び不眠症の解消に卓越である。【００１４】    そこで、本出願人は低廉な費用及び小型に製作された製品を利用して、広範囲に存在する各種有害波長を遮断すると同時に、遠赤外線を発生することによって、より多くの人々が有益を与えることができ、同時に、携帯、設置及び移動が容易な有害波遮断機構を開発するのに至った、
【発明の概要】
【発明が解決しようとする課題】
【００１５】    本発明は上記のような問題点を解決するために発明されたもので、板材に陰刻及び陽刻を形成し、上記板材と板材を硬度の高い速硬型接着剤を利用して接合させ、同時に、陰刻及び陽刻を埋めて用いることによって、人体に有益な遠赤外線を多量生成することができるとともに、水脈波や地震波のように人体に有害な各種波長を瓦解及び破壊させることができて、体の機能を改善することができる有害波遮断機構を提供することを目的とする。【００１６】    また、本発明は板材に形成された陰刻及び陽刻によれば、各種有害波長が同化される作用が発生するので、共音が増幅されて広範囲に広がっている各種有害波長を遮断することができ、これによって、本発明が設置された部分だけでなく、その周辺の人々にも有益である有害波遮断機構を提供することに目的がある。【００１７】    また、本発明は板材に形成される陰刻を０．０１ｍｍ〜１０ｍｍの深さに溝を形成したり、上記陰刻が水平面に対して１°〜９０°の傾斜角を有するように溝を形成することによって、低周波や微細波から超短波や高周波及び回転電磁波と、水脈波に至るまで全部遮断することができ、上記板材を接合させる接着剤層には粉末形態の鉱物質を含有させ、板材の内部には空いている空間部をさらに構成することによって、板材の響きと震えを増幅させることができて、より広い地域の有害波長を遮断することができる有害波遮断機構を提供することに目的がある。
【課題を解決するための手段】
【００１８】    上記のような目的を達するために、本発明の有害波遮断機構は、２〜３０枚からなる板材と、上記板材の一面に溝を形成して配列される陰刻と、上記陰刻が形成された板材の一面に塗布されて、陰刻を埋める作用をし、板材に接着されて堅く硬化される階を形成する接着剤層とで構成され、上記板材は、傾斜角がないように９０°の垂直角に陰刻を形成する基本板材と、基本板材の一側に積層されて互いに接着され、陰刻によって傾斜角を形成する接合板材とで構成され、上記接合板材に形成された陰刻の溝は積層される接合板材の順によって垂直角に対してさらに１°〜１０°の傾斜角をそれぞれ有するように形成されることによって陰刻によって板材に形成された溝が水平面に対して１°〜９０°の傾斜角を有するように形成されたことを特徴とする。
【発明の効果】
【００１９】    本発明の有害波遮断機構は、板材に陰刻及び陽刻を形成し、上記板材と板材とを硬度の高い速硬型接着剤を利用して接合させるとともに、陰刻及び陽刻を埋めて用いることによって、人体に有益な遠赤外線を多量生成し、また、水脈波や地震波のように、人体に有害な各種波長を瓦解及び破壊させることができて、人体の機能を改善することができるという長所がある。【００２０】    また、板材に形成された陰刻及び陽刻によれば、各種有害波長が同化される作用が発生するので、共音が増幅されて広範囲に広がっている各種有害波長を遮断することができ、これにより、本発明が設置された部分だけでなく、その周辺の全ての人々にも有益であるという長所がある。【００２１】    また、上記板材に形成される陰刻を０．０１ｍｍ〜１０ｍｍの深さに溝を形成したり、上記陰刻が水平面に対して１°〜９０°の傾斜角を有するように溝を形成することによって、低周波や微細波から超短波や高周波及び回転電磁波、水脈波に至るまで全部遮断することができ、上記板材を接合させる接着剤層には粉末形態の鉱物質を含有させ、板材の内部には空いている空間部をさらに構成することによって、板材の響き及び震えを増幅させることができて、より広い地域の有害波長を遮断することができる有用な発明である。
【図面の簡単な説明】
【００２２】
【図１】本発明の板材を示した斜視図である。
【図２】本発明の有害波遮断機構を示した斜視図である。
【図３】本発明の有害波遮断機構を示した断面図である。
【図４】本発明の陰刻が形成された板材を示した平面図である。
【図５】本発明の板材に響板を接着して設置した斜視図である。
【図６】３枚の板材を利用した有害波遮断機構を示した断面図である。
【図７】本発明を利用した回転電磁波測定試験測定結果である。
【図８】本発明を利用した回転電磁波測定試験測定結果である。
【図９】本発明を利用した回転電磁波測定試験測定結果である。
【図１０】本発明を利用した経絡循環駆動力測定試験測定結果である。
【図１１】本発明を利用した経絡循環駆動力測定試験測定結果である。
【図１２】本発明を利用した経絡循環駆動力測定試験測定結果である。
【図１３】本発明を利用した経絡循環駆動力測定試験測定結果である。
【図１４】本発明を利用した経絡循環駆動力測定試験測定結果である。
【図１５】本発明を利用した経絡循環駆動力測定試験測定結果である。
【図１６】本発明を利用した経絡循環駆動力測定試験測定結果である。
【図１７】本発明を利用した経絡循環駆動力測定試験測定結果である。
【図１８】本発明を利用した経絡循環駆動力測定試験測定結果である。
【図１９】本発明を利用した水脈人体障害防止試験測定結果である。
【図２０】本発明を利用した水脈人体障害防止試験測定結果である。
【図２１】本発明を利用した水脈人体障害防止試験測定結果である。
【図２２】本発明を利用した水脈人体障害防止試験測定結果である。
【図２３】本発明を利用した電磁波人体障害防止試験測定結果である。
【図２４】本発明を利用した電磁波人体障害防止試験測定結果である。
【図２５】本発明を利用した電磁波人体障害防止試験測定結果である。
【図２６】本発明を利用した電磁波人体障害防止試験測定結果である。
【図２７】本発明を利用した新陳代謝促進能試験測定結果である。
【図２８】本発明を利用した新陳代謝促進能試験測定結果である。
【図２９】本発明を利用した新陳代謝促進能試験測定結果である。
【図３０】本発明を利用した五行測定試験測定結果である。
【図３１】本発明を利用した五行測定試験測定結果である。
【図３２】本発明を利用した五行測定試験測定結果である。
【図３３】本発明を利用した五行測定試験測定結果である。
【図３４】本発明を利用した五行測定試験測定結果である。
【図３５】１枚の板材の一面に第１実施例のよる陰刻を形成して回転電磁波試験をした測定表である。
【図３６】１枚の板材の一面に第１実施例のよる陰刻を形成して水脈人体障害防止試験をした測定表である。
【図３７】１枚の板材の一面に第１実施例のよる陰刻を形成して判別試験をした測定表である。
【図３８】２枚の板材が対向する面に第１実施例による陰刻を形成して回転電磁波試験をした測定表である。
【図３９】２枚の板材が対向する面に第１実施例による陰刻を形成して水脈人体障害防止試験をした測定表である。
【図４０】２枚の板材が対向する面に第１実施例による陰刻を形成して判別試験をした測定表である。
【図４１】３枚の板材で接合して構成されたそれぞれの板材の一面に第１実施例による陰刻を形成して回転電磁波試験をした測定表である。
【図４２】３枚の板材で接合して構成されたそれぞれの板材の一面に第１実施例による陰刻を形成して水脈人体障害防止試験をした測定表である。
【図４３】３枚の板材で接合して構成されたそれぞれの板材の一面に第１実施例による陰刻を形成して判別試験をした測定表である。
【図４４】３枚の板材が対向するそれぞれの板材の面に第１実施例による陰刻を形成して回転電磁波試験をした測定表である。
【図４５】３枚の板材が対向するそれぞれの板材の面に第１実施例による陰刻を形成して水脈人体障害防止試験をした測定表である。
【図４６】３枚の板材が対向するそれぞれの板材の面に第１実施例による陰刻を形成して判別試験をした測定表である。
【図４７】１枚の板材の一面に第２実施例による陰刻を形成して回転電磁波試験をした測定表である。
【図４８】１枚の板材の一面に第２実施例による陰刻を形成して水脈人体障害防止試験をした測定表である。
【図４９】１枚の板材の一面に第２実施例による陰刻を形成して判別試験をした測定表である。
【図５０】２枚の板材が対向する面に第２実施例による陰刻を形成して回転電磁波試験をした測定表である。
【図５１】２枚の板材が対向する面に第２実施例による陰刻を形成して水脈人体障害防止試験をした測定表である。
【図５２】２枚の板材が対向する面に第２実施例による陰刻を形成して判別試験をした測定表である。
【図５３】３枚の板材で接合して構成されたそれぞれの板材の一面に第２実施例による陰刻を形成して回転電磁波試験をした測定表である。
【図５４】３枚の板材で接合して構成されたそれぞれの板材の一面に第２実施例による陰刻を形成して水脈人体障害防止試験をした測定表である。
【図５５】３枚の板材で接合して構成されたそれぞれの板材の一面に第２実施例による陰刻を形成して判別試験をした測定表である。
【図５６】３枚の板材が対向するそれぞれの板材の面に第２実施例による陰刻を形成して回転電磁波試験をした測定表である。
【図５７】３枚の板材が対向するそれぞれの板材の面に第２実施例による陰刻を形成して水脈人体障害防止試験をした測定表である。
【図５８】３枚の板材が対向するそれぞれの板材の面に第２実施例による陰刻を形成して判別試験をした測定表である。
【図５９】１枚の板材の一面に第３実施例による陰刻を形成して回転電磁波試験をした測定表である。
【図６０】１枚の板材の一面に第３実施例による陰刻を形成して水脈人体障害防止試験をした測定表である。
【図６１】１枚の板材の一面に第３実施例による陰刻を形成して判別試験をした測定表である。
【図６２】２枚の板材が対向する面に第３実施例による陰刻を形成して回転電磁波試験をした測定表である。
【図６３】２枚の板材が対向する面に第３実施例による陰刻を形成して水脈人体障害防止試験をした測定表である。
【図６４】２枚の板材が対向する面に第３実施例による陰刻を形成して判別試験をした測定表である。
【図６５】３枚の板材で接合して構成されたそれぞれの板材の一面に第３実施例による陰刻を形成して回転電磁波試験をした測定表である。
【図６６】３枚の板材で接合して構成されたそれぞれの板材の一面に第３実施例による陰刻を形成して水脈人体障害防止試験をした測定表である。
【図６７】３枚の板材で接合して構成されたそれぞれの板材の一面に第３実施例による陰刻を形成して判別試験をした測定表である。
【図６８】３枚の板材が対向するそれぞれの板材の面に第３実施例による陰刻を形成して回転電磁波試験をした測定表である。
【図６９】３枚の板材が対向するそれぞれの板材の面に第３実施例による陰刻を形成して水脈人体障害防止試験をした測定表である。
【図７０】３枚の板材が対向するそれぞれの板材の面に第３実施例による陰刻を形成して判別試験をした測定表である。
【図７１】図３５〜図７０の試験内容に基づいて亜洲大学機械工学部回転電磁波測定研究チームで作成した研究結果報告書である。
【図７２】同上
【図７３】同上
【図７４】同上
【図７５】同上
【図７６】同上
【図７７】同上
【図７８】同上
【図７９】同上
【図８０】同上
【発明を実施するための形態】
【００２３】    上記問題点を解決するための本発明の構成を説明すれば次の通りである。
【００２４】    本発明は、図１〜図３に示すように、陰刻や陽刻または陰刻及び陽刻が形成された板材に速硬型接着剤を塗布することによって、硬くなった接着剤で陰刻及び陽刻が埋められるように接着剤層を形成した有害波遮断機構に関するもので、地面に接触するように固設して地震波、水脈波、地殻波のような各種垂直波によって作動をするか、電流波及び心臓搏動などによって作動するように携帯用に用いることができる。
【００２５】    また、このような本発明の有害波遮断機構５０を地面に設置／埋立及び携帯すれば、水脈波や地震波及び電磁波と各種有害波長が板材に伝達されて上記板材１０で共音が発生され、このような共音は、板材１０の周辺に存在する各種振動波を吸収することによって、それぞれ異なる値を有する振動波を一つの平均値を有する振動波に変化させる作用、即ち同化及び破壊する作用をして、周辺の各種有害波を遮断する作用をする。また、硬化された接着剤層３０によって共音を発生する響きがより拡張されるので、本発明が設置された部分だけでなく、周辺の有害波長まで同化または中和及び破壊することができる。
【００２６】    同時に、本発明の有害波遮断機構５０が空中に浮かんでいる状態では、水脈波や地震波のような有害波長が板材１０に伝達されないため、板材１０で共音が発生されなく、携帯の時には、胸の付近に位置させてこそ心臓搏動による波長が本発明によく伝達されて、板材１０で共音が発生するようになる。胸、即ち心臓から遠くなるほど伝達される波長が小さく、共音が順調に発生しない。そして、電磁波が強い所では本発明が地面に触れない状態でも波長が本発明に伝達されるので共音が発生する。即ち、本発明は波長を受けて作動する製品である。
【００２７】    ここで、共音とは、馬蹄の原理と同じく、響く振動波である。板材１０に各種垂直波や電流波がぶつかると、上記板材１０に形成された陰刻２０及び上記陰刻２０を埋める接着剤層３０で発生し始め、この共音は、板材１０の周辺に存在する各種振動波を吸収することによって、それぞれ異なる値を有する振動波を一つの平均値を有する振動波に変化させる作用、即ち同化及び破壊する作用をする。
【００２８】    そして、このような現象は波形の強度及び種類によって異なる效能を現し、板材１０の振動によって発生する共音と似たような振動波が混じる時、即ち、＋振動波同士が混じったり、−振動波同士が混じったりする時には、振動波が重なってうなり現象が発生して、振動波が増大される同化が発生し、板材１０の振動によって発生する共音と異なる振動波が混じる時、即ち＋振動波と−振動波が混じる時に振動幅の減衰現状によって振動波が減衰されたり消滅される破壊が発生する。
【００２９】    また、このような過程を通じて同化及び破壊された振動波は、板材１０に形成されたまた他の陰刻２０及び上記陰刻２０に埋められた接着剤層３０で発生される共音によって再び同化及び破壊される作用が発生して、上述した過程を通じて振動波の値が変形される。このような現象は、板材１０に形成された陰刻２０をどのような形態にするかによって異なるようにして適用されるので、製作者の意図によって振動波を減少させたり消滅させることができる。
【００３０】    一方、図７〜図９は大韓民国登録特許「１０−０４３２９８２」及び「１０−０６３１８６９」を通じて測定した結果であり、本出願人が上記登録特許の特許権者である呉興国教授が勤めている亜洲大学機械工学部回転電磁波測定研究チームに依頼をして得た結果である。
【００３１】    また、図７〜図９に示すように、回転電磁波測定試験を通じてカオスを測定して回転電磁波の量と質が優れるという結果が得られ、図１０〜図１８に示すように、経絡循環駆動力測定試験を通じて本発明に放出される遠赤外線の回転電磁波によって人体の経絡循環駆動力指数及び経絡循環回復量指数が優れるという結果が得られ、図１９〜図２２に示すように、水脈人体障害防止試験を通じて人体に有害な左回転エネルギー（陰性エネルギー）を右回転エネルギー（陽性エネルギー）で除去、即ち水脈エネルギーを中和防止するという結果が得られた。図２３〜図２６に示すように、電磁波人体障害防止試験を通じて人体に有害な有害左回転電磁波を中和防止するという結果が得られた。図３０〜図３４に示すように、遠赤外線回転の五行（木・火・土・金・水）測定試験を通じて木であることが確認された。
【００３２】    以上で確認したように、本発明は人体に有益な遠赤外線のような物質を放出するだけではなく、上記のような原理及び測定結果を通じて振動波を同化及び破壊させることによって振動波を加減することができ、これを通じて本発明の周りに散在されている有害波を振動音で吸収したり同化及び破壊作用をすることができる。同時に、有害波とは水脈波や地震波及び電磁波などで、何れも振動波と見ることができるので、本発明を通じて人体に有害な有害波を減少したり除くことができる。
【００３３】    以下では本発明の有害波遮断機構についてより詳しく説明する。
【００３４】    まず、板材１０は材質に関らず金属材、非金属材、木材、合成樹脂材の中の何れか一つの材質からなることができる。これは垂直波及び電流波などによる波長が板材の材質ではない上記板材に形成される陰刻、陽刻の形状及びパターン、そして、上記陰刻、陽刻を埋めて板材１０を互いに接着させる接着剤層３０と、上記板材１０及び接着剤層３０の強度の差によって共音が発生及び増幅されることによって行われる。
【００３５】    また、上記板材１０の形状は円形や四角形などに限定されないで、多様な形状に製作されることができ、上記板材１０の直径は使用目的によって異なることができるが、好ましくは約３０ｃｍに形成されて、設置、携帯及び移動の容易性を向上させることが好ましく、上記板材１０の厚さは３ｔを超える場合、感度が鈍化されて共音の増幅を通じて有害波長を円滑に遮断することができないため、３ｔ以下、即ち０．１ｔ〜３ｔに製作されることが好ましい。
【００３６】    また、上記板材１０の一面には多様な形状の溝で形成されて配列される陰刻２０が構成される。上記陰刻２０の溝の深さや模様または溝の傾斜角αによってそれぞれ多様な周波数帯の有害波長を遮断することができるので、目的に合わせて０．０１ｍｍ〜１０ｍｍの深さで溝を形成して板材１０の一面に形成することによって、微細波や低周波から高周波や超短波に至るまで多様な周波数帯の有害波を遮断することができるようにすることが好ましい。
【００３７】    このような有害波の遮断は、板材１０に形成された陰刻２０及び上記陰刻２０を埋める接着剤層３０によって行われるが、上記のように、板材１０に形成された陰刻２０が接着剤層３０によって埋められると、本発明が地震波、水脈波、地殻波のような各種垂直波や、電流波及び心臓搏動によって作動する場合、接着剤層３０の強度によって上記陰刻２０が響筒の役割を果たして共音を形成し、この共音によって前述したように本発明の周りに散在されている有害波を振動音で吸収して同化及び破壊させ、このような作用が板材１０に形成された複数の陰刻２０を通じて継続的に発生して連続的に発生するので有害波を遮断することができる。
【００３８】    ここで、有害波は多様な帯域に分布された各種周波数帯を言い、上記陰刻２０は溝の深さが浅いほど微細波や低周波数を遮断するのに有效であり、３〜１０ｍｍ程度と溝の深さが深い陰刻２０は地震のように大きい振動、即ち高周波や超短波を遮断するのに有效である。
【００３９】    これは、ピアノの弦の長さ及び太さによって響きが異なる原理と同じで、上記板材１０に形成された陰刻２０の大きさが小さくて深さが低く、傾斜角が小さいほど低音の振動波を有する共音が発生されて、周辺が微細波や低周波の同化及び破壊が容易に行われ、これと反対に板材１０に形成された陰刻２０が大きく、深さが深く、傾斜角が大きいほど高音の振動波を有する共音が発生されて周辺の高周波や超短波が容易に同化される。従って、板材１０に多様な深さを有する陰刻２０を形成すれば、多様な周波数帯の有害波長を遮断することができる。
【００４０】    同時に、上記板材１０において、陰刻２０を形成する溝はそれぞれ異なる深さで形成されて、上記陰刻２０の中に陽刻２１（図６参照）がさらに含まれて構成することもできる。
【００４１】    また、上記陰刻２０は文字、符号、標識を含む多様な記号形態に形成されるが、その形態に制約されない。好ましくは、所定パターンを保持することによって、より安定した共音を発生することができるようにすることが好ましく、さらに好ましくは、図４に示すように、板材１０の中心点部分に水平面に対して１°〜９０°の角に溝を形成した第１陰刻２０ａを構成し、上記第１陰刻２０ａを基準に放射状に広がって形成される第２陰刻２０ｂを構成して、第１陰刻２０ａ及び第２陰刻２０ｂを区分した方が良い。これによって、共音の拡散をより増幅させることもできる。
【００４２】    同時に、上記板材１０の中心点部分に形成された第１陰刻２０ａを基準に放射状に広がるように形成された第２陰刻２０ｂは回転電磁波、即ち左回転波と右回転波を吸収して同化させ、中和及び破壊することができるように螺旋状のパターンや斜線状のパターンで角度を形成することが好ましい。
ここで、上記第２陰刻２０の角度パターンは左回転方向に形成されると、右回転波を破壊したり減衰させる作用をし、同時に左回転波を吸収して同化させる作用をする。右回転方向に形成されると、左回転波を破壊したり減衰させる作用をし、同時に右回転波を吸収して同化させる作用をする。それによって、上記第２陰刻２０ｂで形成された螺旋状のパターンと斜線状のパターンは左回転波の減衰及び破壊のために、右回転方向に角度パターンを形成する右回転陰刻２０ｂａと、右回転波の減衰及び破壊のために、左回転方向に角度パターンを形成する左回転陰刻２０ｂｂとからなることが好ましく、上記右回転陰刻２０ｂａと左回転陰刻２０ｂｂは同心円状に離隔されて複数形成することによって、より広い半径の有害波長を遮断することができるようにすることがより好ましい。
【００４３】    これをより詳しく説明すれば、回転電磁波（応用微弱磁気エネルギー学会誌、２００７、第５巻第２号、ｐｐ．１６−２０  Ｊｏｕｒｎａｌ  ｏｆ  Ａｐｐｌｉｅｄ  Ｍｉｃｒｏｍａｇｎｅｔｉｃ  Ｅｎｅｒｇｙ，２００７，Ｖｏｌ．５，Ｎｏ．２，ｐｐ．１６−２０参照）は、左に回りながら進行する左回転波と、右に回りながら進行する右回転波に分けられる。このような回転電磁波は板材１０に同じ方向に形成された第２陰刻２０ｂ、即ち同じ方向を有する螺旋状のパターンまたは斜線状のパターンの形態によって同化される性質を有する。これは、左の力を左の力で同化させる原理である。
【００４４】    従って、本発明の周辺に散在されている回転電磁波の中で、各種左回転波は板材に左回転方向に形成された左回転陰刻２０ｂｂ及び上記左回転陰刻２０ｂｂを埋める接着剤層３０で発生する共音によって同化され、これによってそれぞれ振動幅の異なる左回転波が一つの統合された振動波に平均化される。即ち、それぞれ多様な振動幅を有する左回転波は一緒に発生する共音の振動波を同一方向に形成して同化されることによってその大きさが平均化される。
【００４５】    また、回転電磁波は板材１０に異なる方向に形成された第２陰刻２０ｂ、即ち異なる方向を有する螺旋状のパターンまたは斜線状のパターンの形態によって破壊される性質を有する。よって、左回転陰刻２０ｂｂを通じて平均化されながら減少された左回転波は板材１０に右回転方向に形成された右回転陰刻２０ｂａ及び上記右回転陰刻２０ｂａを埋める接着剤層３０で発生する共音によって破壊される。これは左の力を右の力で破壊させる原理である。
【００４６】    一方、回転電磁波の中で右回転波は上述した左回転波が同化されて破壊される反対過程を通じて行われ、詳細な説明は省略する。
【００４７】    同時に、多くの左回転波が左回転陰刻２０ｂｂに先にぶつからないで、右回転陰刻２０ｂａに先にぶつかる場合には、左回転波の多様な振動幅によって一部の左回転波のみ破壊されて有害波の遮断效果が減少される。よって、板材１０に左回転陰刻２０ｂｂと右回転陰刻２０ｂａを同心円状に離隔して複数形成すれば、左回転波と右回転波を大部分破壊することができて、有害波の遮断效果が増大され、この時破壊されないで残った電磁波は前述した一連の過程を通じて周辺のまた他の電磁波を吸収及び同化して破壊する作用をするので、より広い半径の有害波長が遮断される。
【００４８】    また、上記板材１０に構成された陰刻２０は、図５に示すように、陰刻の外にも陽刻で代替することもでき、この時には陽刻、即ち薄く製作された響板２０｀を板材１０の外側に突出して形成されるように接着させて、板材１０に構成することによって簡単に構成することができる。また、上記響板２０｀の形態及びパターンは前述した陰刻２０と同一にすることができる。このように響板２０｀を設置することは、板材１０が薄くて陰刻２０を形成しにくい場合と同じくやむを得ない場合に使用する。
【００４９】    また、図６に示すように、上記板材１０には響きを増幅することができるように内部が空いている空間部１３をさらに形成することもできる。
【００５０】    ここで、上記板材１０の内部に形成された空間部１３は共音を増幅させる作用をするもので、実心の板材１０より内部が空心の板材１０を叩く時に鳴る音がより大きい原理を利用したもので、例えば、鼓の響筒と同じ役割を果たす。それによって、板材１０の内部の所々が空くように、空間部１３を形成すれば響きが増大されて共音の増幅が発生し、これによって、より増幅された共音で広い地域に存在する有害波長まで遮断することができる。
【００５１】    同時に、上記接着剤層３０は硬くなると硬化される速硬型接着剤を用いなければならないが、これは一般のボンドのような軟質の接着剤を用いる場合、陰刻に埋められる接着剤の成分で響きが発生されないためであり、上記接着剤層３０には上記板材１０及び接着剤層３０と強度の差が顕著な鉱物質３１を粉末のような小塊に含有させることによって、板材１０の響きと震え現象を増幅させることがより好ましい。
【００５２】    ここで、響きは、板材１０の材質よりは板材１０に形成された陰刻２０と上記陰刻２０に埋められる接着剤層３０の強度によって発生する。接着剤層３０に粉末のような小塊に含有される鉱物質３１は板材１０と異なる強度を有することから、他の周りの波長を同化して共音を発生し、これによって板材１０に形成された陰刻２０及び陰刻２０を埋める接着剤層３０で発生した響きを増幅させる作用をする。
【００５３】    また、上記接着剤層３０の中に鉱物質３１が含有されると、接着剤層３０によって鉱物質３１が圧搾されて接着剤層３０と一致されるので、強度がより高くなり、これによって響きと振動が増幅される。
【００５４】    一方、上記板材１０は有害波長を遮断する範囲によって、接着剤層３０を利用して２〜３０枚に接着して用いることができ、より效果的に使用するために、板材１０の外側面である最上端に位置した板材の上面と最下端に位置した板材の下面には陰刻を形成しないで、最上端の板材の下面と最下端の板材の上面に陰刻を形成して、接着剤層３０に接合した方が良い。これは地震波と同じ波長が各種垂直波が板材に直接当接されるようにすることによって、板材１０に垂直に形成された第１陰刻２０ａと空間部１３によって響きが円滑に伝達されるようにするためであり、これを通じて共音が増幅されて本発明の付近だけでなく周辺の各種有害波まで遮断することができて、人体に及ぼす悪影響を予め遮断できる。
【００５５】    また、上記のように、板材１０を接着剤層３０を利用して２〜３０枚に接着して用いる際には、それぞれの板材１０が対向して接着される面に陰刻２０がそれぞれ形成されるようにした方が良い。これは実験結果のように、陰刻２０が対向して形成された時と対向して形成された陰刻２０の数が多くなるほど遠赤外線の放出量がより多くなるからである。従って、板材１０を３枚以上にして板材１０と板材１０との間に構成される板材１０には陰刻２０が両側面に形成されるようにすることが好ましく、それぞれの板材１０と接着剤層３０には前述したように響きの増幅のための空間部１３と鉱物質３１がさらに構成されることがより好ましい。
【００５６】    また、上記板材１０が複数の板材１０で形成される場合には、基本となる基本板材１０ａと、上記基本板材１０ａの上側に順次に積層接着される複数の接合板材１０ｂで構成することができる。上記基本板材１０ａと接合板材１０ｂにそれぞれ構成された陰刻２０によって形成された溝は板材１０の水平面に対して１°〜８９°の傾斜を形成したり、９０°の垂直角に形成されることができる。
【００５７】    ここで、上記陰刻２０に傾斜角αを形成するのは陰刻２０に形成された傾斜角αの角度によって有害波長の吸収、同化作用及び共音を発生する效能がそれぞれ異なるからである。従って、上記接合板材１０ｂに形成された陰刻２０の溝にはさらに積層される接合板材１０ｂの順によってそれぞれ１°〜１０°の傾斜を有するように形成することによって多重に積層されて接合された板材１０に多様な傾斜角αを形成した陰刻２０が構成されるようにすることが好ましい。
【００５８】    同時に、それぞれの板材１０に形成される陰刻２０は、前述したように、水脈波と地震波のような各種波長を吸収、同化、増幅、破壊することができるように、第１陰刻２０ａ及び第２陰刻２０ｂで構成することが好ましく、上記第２陰刻２０ｂは右回転陰刻２０ｂａと左回転陰刻２０ｂｂとで構成して同心円状に離隔させて複数形成することによって、より広い半径の有害波長を遮断することができるようにすることが好ましい。
【００５９】    以下では、測定される回転電磁波の種類と発生されるエネルギーについて説明する。
【００６０】    まず、回転電磁波の種類は
１．ｒｉｇｈｔ  ｗｉｓｅ  ｐｏｓｉｔｉｖｅ  ｒｏｔａｔｉｏｎａｌ  ｅｌｅｃｔｒｏｍａｇｎｅｔｉｃ  ｗａｖｅ（Ｏｒｇａｎｉｃ  ｐｏｉｓｏｎｏｕｓ：有機性毒性）
【００６１】
【表１】
2014532449.tif 000003
２．ｒｉｇｈｔ  ｗｉｓｅ  ｎｅｇａｔｉｖｅ  ｒｏｔａｔｉｏｎａｌ  ｅｌｅｃｔｒｏｍａｇｎｅｔｉｃ  ｗａｖｅ（Ｏｒｇａｎｉｃ  ｍｅｄｉｃｉｎａｌ：有機性薬理性）
【００６２】
【表２】
2014532449.tif 000004
３．ｌｅｆｔ  ｗｉｓｅ  ｐｏｓｉｔｉｖｅ  ｒｏｔａｔｉｏｎａｌ  ｅｌｅｃｔｒｏｍａｇｎｅｔｉｃ  ｗａｖｅ（Ｃｒｙｓｔａｌｌｉｎｅ  ｐｏｉｓｏｎｏｕｓ：結晶性薬理性）
【００６３】
【表３】
2014532449.tif 000005
４．ｌｅｆｔ  ｗｉｓｅ  ｎｅｇａｔｉｖｅ  ｒｏｔａｔｉｏｎａｌ  ｅｌｅｃｔｒｏｍａｇｎｅｔｉｃ  ｗａｖｅ（Ｃｒｙｓｔａｌｌｉｎｅ  ｐｏｉｓｏｎｏｕｓ：結晶性毒性）
【００６４】
【表４】
2014532449.tif 000006
で４つの形態に分けられ、上記のような回転電磁波の合算によって発生するエネルギーは、
イ．結晶性薬理性＋有機性毒性（物質エネルギー：物質運び作用）
【００６５】
【表５】
2014532449.tif 000007
ロ．結晶性毒性＋有機性薬理性（精神エネルギー：精神管理作用）
【００６６】
【表６】
2014532449.tif 000008
ハ．結晶性薬理性＋結晶性毒性（神経細胞運動）
【００６７】
【表７】
2014532449.tif 000009
二．有機性毒性＋有機性薬理性（筋肉細胞運動）
【００６８】
【表８】
2014532449.tif 000010
に分けられて人体に影響を及ぼし、本発明ではこのような回転電磁波の種類によって発生するエネルギーを利用して人体に悪影響を取り除いて、有益を与える。
【００６９】    以下では、上記のような構成による作用を実施例を挙げて説明する。
【００７０】    本発明の有害波遮断機構の有害波遮断效率をテストするために、呉興国博士が指導教授として勤めている亜洲大学機械工学部に測定を依頼した。テスト結果は次の通りである。
【００７１】    ここで、試験測定器機は大韓民国登録特許公報「１０−０４３２９８２」である水を利用した回転電磁波測定方法と、大韓民国登録特許公報「１０−０６３１８６９」である磁場を利用して回転電磁波の性質を測定する方法及び装置を利用した。
【００７２】    まず、測定試料で水脈による回転電磁波測定試験と、水脈人体障害防止試験を測定した。その結果、図９に示すように、回転電磁波の量と質が優れるという良好検証がなされ、図２１に示すように、人体に有害な水脈エネルギーを中和防止する能力が優れているという良好検証がなされた。
【００７３】    本発明の有害波遮断機構の水脈人体障害防止能力をさらに立証するために、毒性エネルギーを投入して判別試験を行った。その結果、図２２に示すように、毒性が全部除去されたことが確認された。これは、上述したように、板材１０に構成された多様な形状と模様の陰刻２０と、空間部１３及び接着剤層３０と上記接着剤層３０に混合された鉱物質３１によって形成される共音及び共音の発生によって各種有害波が除去され、同時に、人体に有益な遠赤外線のような物質が放射されるからである。
【００７４】    その後には、測定試料で電磁波による電磁波人体障害防止試験を行った。その結果、図２５に示すように、人体に有害な有害左回転電磁波を中和防止する能力が優れるという良好検証がなされた。
【００７５】    さらに、本発明の有害波遮断機構の電磁波人体障害防止能力を立証するために、毒性エネルギーを投入して判別試験を行った。その結果、図２６に示すように、毒性が全部除去されたことが確認された。これも上述したような有害波の除去作用と遠赤外線の放射によるものである。
【００７６】    また、図２９に示すように、本発明の測定試料で左回転エネルギーと右回転エネルギーの交差的な振動状態を確認して人体エネルギーの振動状態と比較する新陳代謝促進能試験を行い、その結果、新陳代謝促進能が優れて良好検証がなされた。
【００７７】    一方、板材１０に形成された陰刻２０による效果の差を確認するために、板材１０の数と上記板材１０に形成される陰刻２０を各種実施例で様々な試験をした。
【００７８】    第一、図３５、３６、３７は１枚の板材１０の一面に一実施例による陰刻２０を形成した測定試料で回転電磁波試験、水脈人体障害防止試験、及び判別試験をそれぞれ行った。
【００７９】    第二、図３８、３９、４０は２枚の板材１０を用いたもので、板材１０が互いに対向する面にそれぞれ一実施例による陰刻２０を形成した測定試料で回転電磁波試験、水脈人体障害防止試験、判別試験をそれぞれ行った。
【００８０】    第三、図４１、４２、４３は３枚の板材１０を用いたもので、それぞれの板材１０の一面に陰刻２０を形成した測定試料で回転電磁波試験、水脈人体障害防止試験、判別試験をそれぞれ行った。
【００８１】    第四、図４４、４５、４６は３枚の板材１０を用いたもので、それぞれの板材１０が対向する面に陰刻２０を形成した測定試料で回転電磁波試験、水脈人体障害防止試験、判別試験をそれぞれ行った。
【００８２】    同時に、上述した４種の方法を同一に適用しながら、板材に形成された陰刻の形態を変更して、即ち上述した第１実施例による陰刻と異なる形態である第２実施例による陰刻を形成した測定試料で回転電磁波試験、水脈人体障害防止試験、判別試験をそれぞれ行ったものを図４７〜図５８に示した。第１実施例及び第２実施例による陰刻と異なる形態である第３実施例による陰刻を形成した測定試料で回転電磁波試験、水脈人体障害防止試験、判別試験を行ったものを図５９〜図７０に示した。
【００８３】    上述した図３５〜図７０の試験内容に基づいて亜洲大学機械工学部回転電磁波測定研究チームで作成した研究結果報告書を図７１〜図８０に添付した。
【００８４】    以上の試験結果及び研究結果報告書を通じて分かるように、左回転陽性、右回転陽性、左回転陰性、右回転陰性回転電磁波ベクトルの内積によるカオスと逆カオスによるカオス空間波動によって毒性エネルギーが除去されたことが確認されたが、これは有害波長除去能力は板の数が多いほど、そして、互いに対向する陰刻の数が多いほど向上されることが確認でき、この結果は陰刻の形状及び模様を異なるようにした時にも同じく測定された。同時に、このような現象はカオスの物理的理論と一致する。
【００８５】    また、材質を銅板ではない板金、木材及び合成樹脂などを用いた時にも性能の面で若干の差があるだけで結果は同じく測定された。
【００８６】    上述したように、本発明の有害波遮断機構によれば、従来の単純な銅板が設置された領域のみで行われていた有害波長の遮断機能をずっと越えて有害波遮断機構が設置された領域だけでなく、周辺の広範囲に拡がっている領域に存在する有害波まで遮断することができ、遠赤外線の発生によって人体の健康機能が改善される。そして、小型製作が可能であるので、携帯、設置及び利用の容易性が高まる。
【符号の説明】
【００８７】α：傾斜角
１０：板材
１０ａ：基本板材
１０ｂ：接合板材
１３：空間部
２０：陰刻
２０｀：響板
２０ａ：第１陰刻
２０ｂ：第２陰刻
２０ｂａ：右回転陰刻
２０ｂｂ：左回転陰刻
２１：陽刻
３０：接着剤層
３１：鉱物質
５０：有害波遮断機構
【図１】
2014532449.tif 000011
【図２】
2014532449.tif 000012
【図３】
2014532449.tif 000013
【図４】
2014532449.tif 000014
【図５】
2014532449.tif 000015
【図６】
2014532449.tif 000016
【図７】
2014532449.tif 000017
【図８】
2014532449.tif 000018
【図９】
2014532449.tif 000019
【図１０】
2014532449.tif 000020
【図１１】
2014532449.tif 000021
【図１２】
2014532449.tif 000022
【図１３】
2014532449.tif 000023
【図１４】
2014532449.tif 000024
【図１５】
2014532449.tif 000025
【図１６】
2014532449.tif 000026
【図１７】
2014532449.tif 000027
【図１８】
2014532449.tif 000028
【図１９】
2014532449.tif 000029
【図２０】
2014532449.tif 000030
【図２１】
2014532449.tif 000031
【図２２】
2014532449.tif 000032
【図２３】
2014532449.tif 000033
【図２４】
2014532449.tif 000034
【図２５】
2014532449.tif 000035
【図２６】
2014532449.tif 000036
【図２７】
2014532449.tif 000037
【図２８】
2014532449.tif 000038
【図２９】
2014532449.tif 000039
【図３０】
2014532449.tif 000040
【図３１】
2014532449.tif 000041
【図３２】
2014532449.tif 000042
【図３３】
2014532449.tif 000043
【図３４】
2014532449.tif 000044
【図３５】
2014532449.tif 000045
【図３６】
2014532449.tif 000046
【図３７】
2014532449.tif 000047
【図３８】
2014532449.tif 000048
【図３９】
2014532449.tif 000049
【図４０】
2014532449.tif 000050
【図４１】
2014532449.tif 000051
【図４２】
2014532449.tif 000052
【図４３】
2014532449.tif 000053
【図４４】
2014532449.tif 000054
【図４５】
2014532449.tif 000055
【図４６】
2014532449.tif 000056
【図４７】
2014532449.tif 000057
【図４８】
2014532449.tif 000058
【図４９】
2014532449.tif 000059
【図５０】
2014532449.tif 000060
【図５１】
2014532449.tif 000061
【図５２】
2014532449.tif 000062
【図５３】
2014532449.tif 000063
【図５４】
2014532449.tif 000064
【図５５】
2014532449.tif 000065
【図５６】
2014532449.tif 000066
【図５７】
2014532449.tif 000067
【図５８】
2014532449.tif 000068
【図５９】
2014532449.tif 000069
【図６０】
2014532449.tif 000070
【図６１】
2014532449.tif 000071
【図６２】
2014532449.tif 000072
【図６３】
2014532449.tif 000073
【図６４】
2014532449.tif 000074
【図６５】
2014532449.tif 000075
【図６６】
2014532449.tif 000076
【図６７】
2014532449.tif 000077
【図６８】
2014532449.tif 000078
【図６９】
2014532449.tif 000079
【図７０】
2014532449.tif 000080
【図７１】
2014532449.tif 000081
【図７２】
2014532449.tif 000082
【図７３】
2014532449.tif 000083
【図７４】
2014532449.tif 000084
【図７５】
2014532449.tif 000085
【図７６】
2014532449.tif 000086
【図７７】
2014532449.tif 000087
【図７８】
2014532449.tif 000088
【図７９】
2014532449.tif 000089
【図８０】
2014532449.tif 000090
【国際調査報告】
2014532449.tif 000091
2014532449.tif 000092
2014532449.tif 000093
2014532449.tif 000094